(57)【要約】【課題】照明装置、および照明装置を内蔵した収納装置を構成する導光体の光度を、簡素な構造をもってより適切に制御できるようにする。【解決手段】光源１と、前記光源１の光の入射部２０を有する導光体２と、前記光源１と前記入射部２０との間に配されるシャッター部材３とを備えており、基準位置からのシャッター部材３の移動により前記入射部２０に入射される光量が変化されるようにしてなる。【選択図】図５
2015120472.tif 000002
【特許請求の範囲】
【請求項１】
光源と、前記光源の光の入射部を有する導光体と、前記光源と前記入射部との間に配されるシャッター部材とを備えており、基準位置からのシャッター部材の移動により前記入射部に入射される光量が変化されるようにしてなる、照明装置。
【請求項２】
前記シャッター部材に、開口部を形成させてなる、請求項１に記載の照明装置。
【請求項３】
前記シャッター部材が基準位置から移動したときに前記開口部が前記光源と前記入射部との間に位置されるようになっている、請求項２に記載の照明装置。
【請求項４】
前記開口部は、前記シャッター部材の移動方向に沿って形成されていると共に、その幅が一定とならないようにしてある、請求項２に記載の照明装置。
【請求項５】
本体と、可動体とを備えると共に、請求項１〜請求項４のいずれか１項に記載の照明装置を内蔵して前記導光体によって明るくされる部分を有し、しかも、前記可動体の移動に連係して前記シャッター部材を移動させるようにしてなる、収納装置。
【請求項６】
収納体と、前記収納体の開口を開放可能に閉塞する蓋体とを備えると共に、請求項１〜請求項４のいずれか１項に記載の照明装置を内蔵して前記導光体によって明るくされる部分を有し、しかも、前記蓋体の移動に連係して前記シャッター部材を移動させるようにしてなる、収納装置。
【発明の詳細な説明】
【技術分野】
【０００１】
この発明は、導光体を有し、この導光体によって、各種の物品に明るくされる部分を形成させる照明装置、及び、かかる照明装置を内蔵し、前記導光体によって明るくされる部分を有する収納装置に関する。
【背景技術】
【０００２】
本体ケーシングからカップホルダ本体を引き出したときに、このカップホルダ本体のカップホールド部が光るようにしたカップホルダ装置として特許文献１に示されるものがある。
【０００３】
この特許文献１の装置では、本体ケーシングに設けた光源からの光を伝播する固定側導光体の出力端（出射部）が、カップホルダ本体に内蔵された導光体の入力部（入射部）にカップホルダ本体を所定の位置まで引き出したときに向き合うようになっている。
【先行技術文献】
【特許文献】
【０００４】
【特許文献１】特開２００５−８８６０８号公報
【発明の概要】
【発明が解決しようとする課題】
【０００５】
この発明が解決しようとする主たる問題点は、この種の照明装置、およびかかる照明装置を内蔵した収納装置を構成する前記導光体の光度を、簡素な構造をもってより適切に制御できるようにする点にある。
【課題を解決するための手段】
【０００６】
前記課題を達成するために、この発明にあっては、照明装置を、光源と、前記光源の光の入射部を有する導光体と、前記光源と前記入射部との間に配されるシャッター部材とを備えており、基準位置からのシャッター部材の移動により前記入射部に入射される光量が変化されるようにしてなるものとした。
【０００７】
前記シャッター部材に、開口部を形成させておくことが、この発明の好ましい態様の一つとされる。このようにした場合、前記シャッター部材が基準位置から移動したときに前記開口部が前記光源と前記入射部との間に位置されるようにしておくことが、この発明の好ましい態様の一つとされる。また、このようにした場合、前記開口部を、前記シャッター部材の移動方向に沿って形成させると共に、その幅が一定とならないようにしておくことが、この発明の好ましい態様の一つとされる。
【０００８】
また、前記課題を達成するために、この発明にあっては、収納装置を、本体と、可動体とを備えると共に、前記照明装置を内蔵して前記導光体によって明るくされる部分を有し、しかも、前記可動体の移動に連係して前記シャッター部材を移動させるようにしてなるものとした。
【０００９】
また、前記課題を達成するために、この発明にあっては、収納装置を、収納体と、前記収納体の開口を開放可能に閉塞する蓋体とを備えると共に、前記照明装置を内蔵して前記導光体によって明るくされる部分を有し、しかも、前記蓋体の移動に連係して前記シャッター部材を移動させるようにしてなるものとした。
【発明の効果】
【００１０】
この発明によれば、前記導光体の光度を、前記のように配されるシャッター部材をもって、つまり、簡素な構造をもって適切に制御することができる。
【図面の簡単な説明】
【００１１】
【図１】図１は、この発明の一実施の形態にかかる照明装置を内蔵してなる収納装置（第一例）をその後側からみて示した斜視図である。
【図２】図２は、前記第一例の収納装置の蓋体が開いた状態を示した斜視図である。
【図３】図３は、前記第一例の照明装置を構成する導光体の斜視図である。
【図４】図４は、前記第一例の照明装置の要部断面図であり、前記蓋体が閉じているときの状態を示している。
【図５】図５は、前記第一例の照明装置の要部断面図であり、前記蓋体が開いたときの状態を示している。
【図６】図６は、前記第一例の収納装置を構成する蓋体の斜視図である。
【図７】図７は、前記第一例の収納装置を構成する蓋体の構成の一部変更例を示した当該蓋体の要部斜視図である。
【図８】図８は、この発明の一実施の形態にかかる照明装置を内蔵してなる収納装置（第二例）の分解斜視図である。
【図９】図９は、前記第二例の収納装置を構成するロアインナー、導光体及びアッパーインナーの組み合わせ状態を示した一部破断要部斜視図である。
【図１０】図１０は、前記第二例の照明装置の要部断面図であり、前記蓋体が閉じているときの状態を示している。
【図１１】図１１は、前記第二例の照明装置の要部断面図であり、前記蓋体が開いたときの状態を示している。
【発明を実施するための形態】
【００１２】
以下、図１〜図１１に基づいて、この発明の典型的な実施の形態について、説明する。この実施の形態にかかる照明装置は、導光体２を有し、この導光体２によって、各種の物品に明るくされる部分を形成させるものである。また、この実施の形態にかかる収納装置は、前記照明装置を内蔵し、前記導光体２によって明るくされる部分を有するものである。
【００１３】
図示の例では、前記照明装置を、自動車などの内装品として利用される収納装置としてのカップホルダー５に備えさせた例を示している。かかるカップホルダー５は、収納装置を構成する本体としての収納体５０と、収納装置を構成する可動体としての蓋体５１とを備えている。収納体５０は上面開口５０ａの箱状を呈している。図示の例では、蓋体５１は回動可能に収納体５０に組み合わされており、閉じ位置（図１、図１０参照）から往動回動して収納体５０の開口５０ａを開放するようになっている。図示の例では、蓋体５１を往動させきった状態（図２、図１１参照）において、収納体５０内に前記開口５０ａを通じて飲み物容器をその底側から納め入れるようになっている。また、図示の例では、前記導光体２は、かかる収納体５０の内壁の一部を構成するようになっている。そして、これにより、カップホルダー５の意匠性を高め、また、夜間などにおいても収納体５０内に飲み物容器をその底側から間違いなく納め入れ可能としている。
【００１４】
前記照明装置は、光源１と、導光体２と、シャッター部材３とを備えている。
【００１５】
図示の例では、前記光源１はＬＥＤにより構成されている。図中符号１ｂはＬＥＤを支持する基板であり、符号１ｃはその配線である。
【００１６】
前記導光体２は、前記光源１の光の入射部２０を有する。図示の例では、導光体２は、一箇所に光の入射部２０を備えた周回状をなし、入射光を伝播して全体を輝かせるようになっている。かかる導光体２は、光を透過させると共に、入射された入射光を伝播させて全体を輝かせる機能を備えるものであれば良く、このような機能を備えた公知の透光材料から構成することができる。入射部２０には、光源１から別の導光体を経由して間接的に光が入射されるようにしておいても構わない。この場合、前記シャッター部材３は、別の導光体の出力端と前記導光体２の入射部２０との間に配されることとなる。
【００１７】
図示の例では、収納体５０は、二つの飲み物容器を同時に保持できる構成となっている。導光体２は、仮想の第一の円の円弧に沿うように形成された第一部分２１ａと、仮想の第二の円の円弧に沿うように形成された第二部分２１ｂとを備えた主体部２１を有している。第一部分２１ａの内側及び第二部分２１ｂの内側にそれぞれ、一つの飲み物容器が納まるようになっている。したがって、導光体２は長さと幅とを持つようになっている。前記第一部分２１ａと第二部分２１ｂとは導光体２の長さ方向略中程の位置で連通している。
【００１８】
図１〜図６に示される第一例では、導光体２はさらに棒状の第三部分２２とを有している。この第一例では第三部分２２は主体部２１の後方で、かつ、主体部２１よりやや下方となる位置において、その長さ方向を第一部分２１ａの中心と第二部分２１ｂの中心とを結ぶ仮想の直線ｘ（図３参照）に平行をなすように配されると共に、その一端を前記連通箇所２１ｃを挟んだ後側において連接部２２ａを介して主体部２１に一体化させている。図示の例では、前記第三部分２２の他端が前記入射部２０として機能するようになっている。すなわち、この第三部分２２の他端からこの第三部分２２内に光が入射されると、この第三部分２２の一端と連接部２２ａとの連接箇所に形成された第一反射部２３と、連接部２２ａと主体部２１との連接箇所に形成された第二反射部２４とにより、主体部２１に光が伝播され、これにより主体部２１が全体として輝くようになっている。
【００１９】
図８〜図１１に示されれる第二例では、主体部２１の前記連通箇所２１ｃを挟んだ後側部分の左右方向中程の位置が入射部２０として機能するようになっている。
【００２０】
前記シャッター部材３は、前記光源１と前記入射部２０との間に配される。そして、基準位置からのシャッター部材３の移動により前記入射部２０に入射される光量が変化されるようになっている。なお、かかる変化には、入射部２０に入射される光量が零の状態からの変化が含まれる。
【００２１】
これにより、この実施の形態にかかる照明装置にあっては、前記導光体２の光度を、前記のように配されるシャッター部材３をもって、つまり、簡素な構造をもって適切に制御することができる。
【００２２】
（第一例）
図１〜図６に示される第一例では、シャッター部材３は、前記蓋体５１に一体に設けられている。そして、この第一例では、蓋体５１が閉じ位置にあるときはシャッター部材３によって光源１の光が導光体２の入射部２０に入射されず、一方、蓋体５１が前記往動回動すると光源１の光が導光体２の入射部２０に入射されて導光体２が輝き収納体５０の内部を明るくするようになっている。
【００２３】
具体的には、前記第一例では、蓋体５１は、板状をなす蓋主体５１’の左右にそれぞれ一体に板状をなす軸受け部５１ａを形成させてなる。この第一例では、かかる軸受け部５１ａは収納体５０の側壁の外側においてその板面をこの側壁に向けて位置され、蓋体５１はこの軸受け部５１ａに形成された軸穴５１ｂと収納体５０の側壁に形成された図示しない軸穴とに図示しない軸体を通すことで、収納体５０に回動可能に組み合わされている。
【００２４】
また、前記第一例では、前記左右の軸受け部５１ａ、５１ａの一方は、常時その一部を、前記光源１と入射部２０との間に位置させるようになっている。この第一例では、光源１は、収納体５０の左右の側壁の一方の外側に配されていると共に、この光源１との間に間隔を開けて前記入射部２０が配されている。前記左右の軸受け部５１ａ、５１ａの一方は、前記軸穴５１ｂを中心とした仮想の円の円弧上に位置される外縁部５１ｃを有しており、蓋体５１がいずれの回動位置あってもこの外縁部５１ｃが前記間隔内に位置されるようになっている。
【００２５】
そして、前記第一例では、前記シャッター部材３に、開口部３ａが形成されている。そして、前記シャッター部材３が基準位置から移動したときに前記開口部３ａが前記光源１と前記入射部２０との間に位置されるようになっている。前記第一例では、前記左右の軸受け部５１ａ、５１ａの一方がかかるシャッター部材３として機能するようになっている。すなわち、前記第一例では、前記左右の軸受け部５１ａ、５１ａの一方における前記外縁部５１ｃに方形の開口部３ａが形成されている。そして、前記蓋体５１が閉じ位置にあるときは前記外縁部５１ｃにおける開口部３ａの形成されていない箇所が前記光源１と前記入射部２０との間に位置されるようになっている（図１、図４）。すなわち、かかる第一例にあっては、蓋体５１が閉じ位置にあるとき、シャッター部材３としての前記前記左右の軸受け部５１ａ、５１ａの一方は前記基準位置にある。したがって、光源１からの光は蓋体５１が閉じ位置にあるときはシャッター部材３に遮られて入射部２０に入射されず、導光体２は輝かない。この第一例では、前記蓋体５１を往動回動させると、蓋体５１が開ききった位置で前記開口部３ａが前記光源１と前記入射部２０との間に位置されるようになっている（図２、図５）。この第一例にあっては、蓋体５１が開ききったときは、光源１からの光はシャッター部材３に遮られず導光体２に入射されて導光体２は輝き、これにより収納体５０の内部を明るくさせるようになっている。
【００２６】
なお、前記蓋体５１は、典型的には、前記閉じ位置にある状態を公知のラッチ機構により保持されるようにしておく。また、典型的には、かかる蓋体５１は、前記保持を解いたときに、公知の付勢手段により、所定の開き位置まで強制的に往動回動されるようにしておくことが好ましい。
【００２７】
図７は、前記第一例において、前記開口部３ａを、前記シャッター部材３の移動方向ｙに沿って形成させると共に、その幅、つまり、前記移動方向ｙに直交する向きの寸法が一定とならないようにした変更例を示している。この変更例では、開口部３ａは、基準位置において前記光源１と前記入射部２０との間に位置される非開放箇所３ｂから離れるに連れて前記幅を漸増させるように構成されている。このようにした場合、シャッター部材３の基準位置からの移動量が増加するに従って開口部３ａを通じて入射部２０に入射される光の光量を増加させて導光体２の光度が徐々に高くなるようにすることができる。図示の例では、蓋体５１の往動回動量、つまり、開放量が増えるに従って、収納体５０の内部が次第に明るくなるようにすることができる。
【００２８】
（第二例）
図８〜図１１に示される第二例では、シャッター部材３は、前記蓋体５１と別体に設けられている。そして、この第二例では、蓋体５１が閉じ位置にあるときはシャッター部材３によって光源１の光が導光体２の入射部２０に入射されず（図１０）、一方、蓋体５１が前記往動回動すると光源１の光が導光体２の入射部２０に入射されて導光体２が輝き収納体５０の内部を明るくするようになっている（図１１）。
【００２９】
具体的には、前記第二例では、蓋体５１は、板状をなす蓋主体５１’の中央を挟んだ左右にそれぞれ一体に板状をなす軸受け部５１ａを形成させてなる。この第二例では、かかる軸受け部５１ａは収納体５０の側壁の後側に形成した割り欠き部５０ｂに納まり、蓋体５１はこの軸受け部５１ａに形成された軸穴５１ｂと収納体５０の割り欠き部５０ｂに臨んだ箇所に形成された軸穴５０ｉとに軸体を通すことで、収納体５０に回動可能に組み合わされている。
【００３０】
また、前記第二例では、前記蓋体５１における左右方向中程の位置に、この蓋体５１の内面から突き出すアーム部５１ｄが備えられている。
【００３１】
この第二例では、収納体５０の前記割り欠き部５０ｂ内であって、左右の前記軸受け部５１ａ、５１ａ間に位置される箇所に、後述のアウターケース５０ｆの底部から上方に向けて突き出すガイド部５０ｃが形成されていると共に、このガイド部５０ｃの前面にシャッター部材３が上下動可能に保持されている。ガイド部５０ｃの上部には窓穴５０ｄが形成されており、光源１はこの窓穴５０ｄに組み込まれている。
【００３２】
この第二例では、導光体２は、前記入射部２０をガイド部５０ｃの窓穴５０ｄの前方に位置させるようにして収納体５０に内蔵されている。図中符号５０ｆは収納体５０を構成するアウターケースであり、符号５０ｇはこのアウターケース５０ｆ内に納められるロアインナーケースであり、符号５０ｈはアッパーインナーケースである。導光体２はかかるロアインアーケース５０ｇとアッパーインナーケース５０ｈとの間に挟持された状態でこれらと一緒にアウターケース５０ｆ内に納められ収納体５０の内壁の一部を構成するようになっている。
【００３３】
また、前記シャッター部材３は、付勢部材４により、収納体５０の開口５０ａ側に向けて常時付勢されている。図示の例では、シャッター部材３の下端とアウターケース５０ｆの底部との間に前記付勢部材４としての圧縮コイルバネが介装されている。前記ガイド部５０ｃの上下方向中程の位置には、このガイド部５０ｃの前面との間に前記シャッター部材３を保持する間隔を開けて、押さえ片５０ｅが一体に備えられている。かかるシャッター部材３は、前記基準位置において、前記付勢部材４の付勢により、その下端に形成された抜け止め部３ｃを前記押さえ片５０ｅに引っかけている（図１０）。
【００３４】
この第二例では、前記シャッター部材３に、開口部３ａが形成されている。そして、前記シャッター部材３が基準位置から移動したときに前記開口部３ａが前記光源１と前記入射部２０との間に位置されるようになっている。前記蓋体５１が閉じ位置にあるときはシャッター部材３は基準位置にあり、このシャッター部材３における開口部３ａの形成されていない箇所が前記光源１と前記入射部２０との間に位置されるようになっている（図１０）。したがって、光源１からの光は蓋体５１が閉じ位置にあるときはシャッター部材３に遮られて入射部２０に入射されず、導光体２は輝かない。この第二例では、前記蓋体５１を往動回動させると、この回動の過程で前記アーム部５１ｄがシャッター部材３の上端３ｄを押圧し、これによりシャッター部材３が前記付勢部材４の付勢に抗して下方に押し込まれ、前記開口部３ａが前記光源１と前記入射部２０との間に位置されるようになっている（図１１）。この第二例にあっては、前記開口部３ａを、前記シャッター部材３の移動方向ｙに沿って形成させると共に、その幅、つまり、前記移動方向ｙに直交する向きの寸法が一定とならないようにしてある。図示の例では、前記開口部３ａは、基準位置において前記光源１と前記入射部２０との間に位置される非開放箇所３ｂから離れるに連れて前記幅を漸増させるように構成されている。これにより、シャッター部材３の基準位置からの移動量が増加するに従って開口部３ａを通じて入射部２０に入射される光の光量を増加させて導光体２の光度が徐々に高くなるようになっている。図示の例では、蓋体５１の往動回動量、つまり、開放量が増えるに従って、移動する前記アームによりシャッター部材３の押し込み量が増加し、これにより収納体５０の内部が次第に明るくなるようになっている。
【００３５】
なお、当然のことながら、本発明は以上に説明した実施態様に限定されるものではなく、本発明の目的を達成し得るすべての実施態様を含むものである。
【符号の説明】
【００３６】
１  光源
２  導光体
２０  入射部
３  シャッター部材
【図１】
2015120472.tif 000003
【図２】
2015120472.tif 000004
【図３】
2015120472.tif 000005
【図４】
2015120472.tif 000006
【図５】
2015120472.tif 000007
【図６】
2015120472.tif 000008
【図７】
2015120472.tif 000009
【図８】
2015120472.tif 000010
【図９】
2015120472.tif 000011
【図１０】
2015120472.tif 000012
【図１１】
2015120472.tif 000013